【手続補正書】
【提出日】平成19年6月6日(2007.6.6)
【手続補正１】
【補正対象書類名】特許請求の範囲
【補正対象項目名】全文
【補正方法】変更
【補正の内容】
【特許請求の範囲】
【請求項１】
引取装置と巻取機とを有するマルチファイバ引取装置を含み；
上記引取装置は、同期的に多数の個々の光ファイバを製造するように構成され、かつ、引取速度が光ファイバの各々について実質的に一定であると共に実質的に同一であるように、多数の個々の光ファイバを引き取るための引取速度を与えるように構成されており；
上記巻取機は、巻取スプールと補整装置とを有しており；
上記巻取スプールは、光ファイバを巻き取り；そして
上記補整装置は、複数の光ファイバが上記引取装置及び上記巻取スプールでそれぞれの異なる速度を有するとき、上記引取装置と上記巻取スプールの間の速度差を補整するように構成されている
多数の光ファイバを組み立てるための装置。
【請求項２】
前記引取装置は、複数の光ファイバを集め、複数の光ファイバからファイバ束を形成するように構成されている、請求項１に記載の装置。
【請求項３】
前記巻取機は、ファイバ束を前記巻取スプール上に連続的に置くように構成されたファイバ案内装置を有する、請求項２に記載の装置。
【請求項４】
前記ファイバ案内装置は、少なくとも１つの制御可能な変位メカニズムと、巻取スプール上にファイバ束を置くためのガイドローラを備えたファイバ・ガイドとを有し、上記少なくとも１つの制御可能な変位メカニズムは上記ファイバ・ガイドに作用する、請求項３に記載の装置。
【請求項５】
前記巻取機は、前記ファイバ案内装置を、巻取スプール上の巻取半径の変化及び巻取スプール上の光ファイバの層についての巻取り幅の変化よりなる群から選ばれた少なくとも１つの巻取条件に適合させるように構成された層補整装置を有する、請求項４に記載の装置。
【請求項６】
前記層補整装置は、前記ファイバ・ガイド及び前記ガイドローラよりなる群から選ばれた少なくとも１つの要素の移動変位を制御するための少なくとも１つの制御可能な変位メカニズムを有し、該少なくとも１つの制御可能な変位メカニズムは、前記巻取スプール上の光ファイバの層数に応じて、移動変位が上記巻取スプールの回転軸と実質的に平行な方向及び上記巻取スプールの回転軸に対して実質的に半径方向よりなる群から選ばれた少なくとも１つの方向に制御されるように移動変位を制御する、請求項５に記載の装置。
【請求項７】
前記補整装置は、巻取スプール上に層状に巻き取られたファイバ束の速度変化を補整するための速度変化補整装置を有しており、該速度変化補整装置は、巻取スプール上の複層のうちの一層から別の層へ変化するときのファイバ束の速度変化及び複層の異なる層間の巻取半径の変化から生ずるファイバ束の速度変化よりなる群から選ばれた少なくとも１つの状況における速度変化を補整するように構成されている、請求項２乃至６のいずれか一項に記載の装置。
【請求項８】
前記速度変化補整装置は取付け点に取り付けられた浮動アームを有し、該浮動アームには、ファイバ束を案内するための偏位ローラが、上記浮動アームの一側部に保持されるように、かつ、前記巻取スプールの回転面と平行な平面で上記浮動アームの取付け点のまわりに枢動自在なように、回転自在に取り付けられている、請求項７に記載の装置。
【請求項９】
前記偏位ローラ及び前記巻取スプールは、互いに実質的に平行なそれぞれの回転軸を有している、請求項８に記載の装置。
【請求項１０】
前記偏位ローラは、前記浮動アームの取付け点のまわりに枢動できることに加えて、枢動に対して揺れることができるように、浮動アーム上に保持されている、請求項８又は９に記載の装置。
【請求項１１】
前記浮動アームは、それに取り付けられた前記偏位ローラが所定の揺れ能力を有するように、所定の弾性率を有する弾性材料を含む弾性アームもしくはプラスチック製アームである、請求項１０に記載の装置。
【請求項１２】
前記浮動アームは、それに取り付けられた前記偏位ローラが所定の揺れ能力を有するように、所定の材料厚さ及び所定の形状よりなる群から選ばれた少なくとも１つの特性を有している、請求項１０に記載の装置。
【請求項１３】
前記浮動アームに前記取付け点で設けられた角度分解器と、該角度分解器に作動可能に接続された速度制御器を含んでおり、上記角度分解器は、前記巻取スプールの巻取速度を制御するために、回転角のデータを上記速度制御器に送信する、請求項８乃至１２のいずれか一項に記載の装置。
【請求項１４】
前記補整装置及び前記層補整装置の少なくとも１つに作動可能に接続された中央データ処理装置を含み、該中央データ処理装置は、速度差を補整するための前記補整装置、及び前記ファイバ案内装置を適応させるための前記層補整装置の少なくとも１つを制御する、請求項５乃至１３のいずれか一項に記載の装置。
【請求項１５】
前記浮動アームは、平衡位置を有しており、かつ、複数の光ファイバを引き取りファイバ束を前記巻取スプールに巻き取るときに、浮動アームが補整力により平衡位置に調整可能であるように、補整力によって作用されるように構成されている、請求項８乃至１４のいずれか一項に記載の装置。
【請求項１６】
前記浮動アームは、ニュートラル位置を有しており、かつ、多数の光ファイバの引取り及び巻取りの中断又は異常な終了の場合に、浮動アームが補整力によりニュートラル位置へ調整可能であるように、補整力によって作用されるように構成されている、請求項８乃至１５のいずれか一項に記載の装置。
【請求項１７】
前記浮動アームはファイバ束に張力を設定するように構成されている、請求項８乃至１６のいずれか一項に記載の装置。
【請求項１８】
補整力を供給するために又はファイバ束に張力を設定するために、前記浮動アームに作動可能に接続されたシリンダを含み、該シリンダは調整可能な空気圧シリンダ及び調整可能な油圧シリンダよりなる群から選ばれる、請求項１５乃至１７のいずれか一項に記載の装置。
【請求項１９】
前記巻取スプールは交換可能な巻取スプールとして取り付けられる、請求項１乃至１８のいずれか一項に記載の装置。
【請求項２０】
前記巻取スプールは、スプール軸を有し、かつ、満載されたときに交換される交換可能な巻取スプールであり；また、交換スプールは、スプール軸の方向に前記巻取スプールに隣接して配置されており、ファイバ束を上記交換スプールに置くために前記交換スプールがファイバ案内装置の下に移動されるか又は上記ファイバ案内装置が交換スプールの上に移動する、請求項３乃至１９のいずれか一項に記載の装置。
【請求項２１】
前記補整装置に作動可能に接続された中央データ処理装置を含み；前記巻取スプールは、スプール軸を有し、かつ、満載されたときに交換される交換可能な巻取スプールとして構成されており；交換スプールは、前記巻取スプールが満載されたとき、ファイバ束が前記巻取スプールから上記交換スプールに変わるように、スプール軸の方向に前記巻取スプールに隣接して配置されており；前記中央データ処理装置は、ファイバ束が前記巻取スプールから上記交換スプールに変わるときに、前記補整装置を介して、閉ループ制御及び開ループ制御の少なくとも１つによって上記交換スプールの回転速度を制御する、請求項３乃至２０のいずれか一項に記載の装置。
【請求項２２】
引取装置により、各光ファイバについて実質的に一定かつ同一の引取速度で複数の光ファイバを引き取ることにより、多数の個々の光ファイバを同期的に製造し;
複数の光ファイバにサイジング剤をコーティングし；
複数の光ファイバを束ねてファイバ束を形成し；
偏位装置を介してファイバ束を巻取機へ送り；そして
補整装置により引取装置と巻取機との間のファイバ束の速度差を補整する
ことを含む、多数の光ファイバを組み立てる方法。
【請求項２３】
ファイバ束を浮動アームの偏位ローラの上に案内し；また、速度制御器により、浮動アームに設けられた角度分解器によって提供されるデータを用いて巻取スプール上のファイバ束の巻取速度の変化を補整し、また巻取スプールの回転速度を変更する、請求項２２に記載の方法。
【請求項２４】
ファイバ束を浮動アームの偏位ローラの上に案内し；また、巻取機を停止するために、浮動アームのニュートラル位置に対応する信号を速度制御器に送信する、請求項２３に記載の方法。
【請求項２５】
一定の引張応力を付与するために、引取装置の少なくとも１つのサイジングローラ上に複数の個々の光ファイバを帯状に送る、請求項２２乃至２４のいずれか一項に記載の方法。
【請求項２６】
引取ローラを用いて各場合に同じ引取速度で複数の個々の光ファイバを一緒に引取り；また、二次ローラを介して複数の光ファイバをファイバ束として巻取機へ送る、請求項２２乃至２５のいずれか一項に記載の方法。
【請求項２７】
巻取スプール上のファイバ束を変位させるためのファイバ案内装置を用いて、ガイドローラを介して、１層当たり調整可能なオフセットで巻取機の巻取スプール上にファイバ束を１層毎に巻き取る、請求項２２乃至２６のいずれか一項に記載の方法。
【請求項２８】
巻取機の回転速度に対するファイバ案内装置のファイバ・ガイドの変位数の調整可能な比率に基づいて調整可能なオフセットを設定する、請求項２７に記載の方法。
【請求項２９】
制御可能な変位メカニズムを有し、かつガイドローラを備えたファイバ・ガイドを有するファイバ案内装置を準備し；そして制御可能な変位メカニズムを用い、ガイドローラにより巻取スプールの長手方向軸線と平行に前後に周期的にファイバ・ガイドを移動させることにより、巻取機の巻取スプール上に正確な方法で光ファイバを置く、請求項２２乃至２８のいずれか一項に記載の方法。
【請求項３０】
巻取スプールの両側でのファイバ・ガイドの変位を小さくすることにより、ファイバ層の合計数に応じて巻取スプール上のファイバ層の巻取り幅を対称的に短くする、請求項２９に記載の方法。
【請求項３１】
制御可能な変位メカニズムにより、ガイドローラを備えたファイバ・ガイドを巻取スプールの回転軸に対して半径方向に連続的に移動させることにより、ファイバ・ガイドのガイドローラと巻取スプール上の最上層との間の距離を実質的に一定に保つ、請求項２２乃至３０のいずれか一項に記載の方法。
【請求項３２】
ファイバ・ガイドと制御可能な変位メカニズムを含むファイバ案内装置を、巻取スプール上の層の合計数に応じて変化する巻取半径に連続的に適合させる、請求項３１に記載の方法。
【請求項３３】
満載巻取スプールのスプール軸に沿った方向に、満載巻取スプールに隣接して交換スプールを置くことにより、満載巻取スプールを交換スプールと交換する、請求項２２乃至３２のいずれか一項に記載の方法。
【請求項３４】
満載巻取スプールを交換するときに、交換スプールの上にファイバ案内装置を移動させるか、又は、ファイバ案内装置の下に交換スプールを移動させ、同時に満載巻取スプールと置き換える、請求項３３に記載の方法。
【請求項３５】
満載巻取スプールを交換するときに、交換スプールの上にファイバ案内装置を移動させるために移動テーブルを使用する、請求項３４に記載の方法。